(57)【特許請求の範囲】
【請求項１】
互いに対向する一対の第１側板と互いに対向する一対の第２側板とによって構成される角筒状の胴部と、各第１側板の一端縁に連設された内フラップを内方へ直角に折り曲げ各第２側板の一端縁に連設された外フラップを内フラップの外面に重なるように内方へ直角に折り曲げることにより胴部の一方の開口部を閉塞する閉塞部とを備える包装箱において、
外フラップの先端部には先方へ突出し外フラップの横方向に張り出す張出部を有する一対の舌片が設けられ、
内フラップには舌片が挿入される挿入孔が形成され、
挿入孔には、内フラップの横方向外方の側縁から内フラップの横方向内方に向かって突出する突部が舌片が挿入されたときに張出部と対応する位置に形成され、
両内フラップを内方へ直角に折り曲げ、両外フラップを内フラップの外面に重なるように折り曲げるとともに各舌片を対応する挿入孔に挿入したときに、張出部の外フラップに対する基端側の側縁が突部の先端縁に係合し、
前記張出部の前記外フラップに対する基端側の側縁は、前記外フラップの基端側に向かって傾斜する傾斜縁であり、前記突部の先端縁は、前記張出部の傾斜縁に対応するように傾斜していることを特徴とする包装箱。
【発明の詳細な説明】
【技術分野】
【０００１】
本発明は、角筒状の胴部を備え、胴部の一方の開口部を閉塞する段ボール箱等の包装箱に関する。
【背景技術】
【０００２】
従来、互いに対向する一対の第１側板と互いに対向する一対の第２側板とによって構成される角筒状の胴部と、各第１側板の下端縁に連設された内フラップを内方へ直角に折り曲げ各第２側板の下端縁に連設された外フラップを内フラップの外面に重なるように内方へ直角に折り曲げることにより胴部の底開口部を閉塞する閉塞部とを備える包装箱が知られている（例えば、特許文献１参照）。
【０００３】
特許文献１のものでは、外フラップの先端部に一対の舌片が設けられている。各内フラップには、挿入孔としてＵ字状に切り込まれた挿入切込が形成され、この挿入切込に舌片が挿入される。また、各内フラップには、Ｕ字状の挿入切込によって揺動片が形成されており、各揺動片の先端には突部が形成されている。各舌片には、揺動片の突部に対応する円弧状の係止切込が形成されている。
【０００４】
そして、各内フラップを内方へ折り曲げ、各外フラップの舌片を対応する内フラップの挿入切込に挿入しつつ、各外フラップを両内フラップの外面に重なるように内方へ折り曲げることにより胴部の底開口部が閉塞される。そして、包装箱の内側から揺動片の突部を外側へ押圧することにより、突部が係止切込に係止され、これにより、各舌片が挿入切込から抜け出ることを防止している。
【０００５】
ここで、特許文献１のものでは、舌片の挿入切込に対する抜け止を突部と係止切込との係止によって行っており、野菜等の収納物の重量で突部が係止切込によって形成される片部を外方に押し込んで突部と係止切込とが係合することを期待しているが、収納物の収納状態によっては収納物が突部に接触しない場合もある。この場合、突部が片部を押し込まず、突部と係止切込とが係合しない。このため、確実に突部と係止切込とが係合しているか否かを確認し、係合していない場合には手で突部を内方から押圧する必要があり、組み立てが面倒であった。
【特許文献１】特開２００４−１５５４３８号公報
【発明の開示】
【発明が解決しようとする課題】
【０００６】
本発明は、以上の点に鑑み、舌片が挿入孔から抜け出ることを防止し、且つ、組み立て容易な包装箱を提供することを目的とする。
【課題を解決するための手段】
【０００７】
上記目的を達成するため、本発明は、互いに対向する一対の第１側板と互いに対向する一対の第２側板とによって構成される角筒状の胴部と、各第１側板の一端縁に連設された内フラップを内方へ直角に折り曲げ各第２側板の一端縁に連設された外フラップを内フラップの外面に重なるように内方へ直角に折り曲げることにより胴部の一方の開口部を閉塞する閉塞部とを備える包装箱において、外フラップの先端部には先方へ突出し外フラップの横方向に張り出す張出部を有する一対の舌片が設けられ、内フラップには舌片が挿入される挿入孔が形成され、挿入孔には、内フラップの横方向外方の側縁から内フラップの横方向内方に向かって突出する突部が舌片が挿入されたときに張出部と対応する位置に形成され、両内フラップを内方へ直角に折り曲げ、両外フラップを内フラップの外面に重なるように折り曲げるとともに各舌片を対応する挿入孔に挿入したときに、張出部の外フラップに対する基端側の側縁が突部の先端縁に係合し、前記張出部の前記外フラップに対する基端側の側縁は、前記外フラップの基端側に向かって傾斜する傾斜縁であり、前記突部の先端縁は、前記張出部の傾斜縁に対応するように傾斜していることを特徴とする。
【０００８】
かかる発明によれば、舌片を挿入孔に挿入するだけで、張出部の外フラップに対する基端側の側縁が突部の先端縁に当接して係止される。これにより、従来のように内側から押し込んで係止させる必要がなく、組み立てが容易であり、且つ、舌片が挿入孔から抜け出ることを防止することができる。
【０００９】
また、張出部の外フラップに対する基端側の側縁を、外フラップの基端側に向かって傾斜する傾斜縁とし、突部の先端縁を、張出部の傾斜縁に対応するように傾斜させれば、舌片がフック状となって張出部が突部の先端縁に係止されるため、舌片が挿入孔から抜け出ることをより確実に防止することができる。
【発明を実施するための最良の形態】
【００１０】
図１〜４に本発明の包装箱の実施形態を示す。図１に実施形態の包装箱１を裏返して示すように、包装箱１は、角筒状の胴部２と、胴部２の底面開口部を閉塞する閉塞部３とを備える。胴部２は、互いに対向する一対の第１側板２１と、互いに対向する一対の第２側板２２とで構成される。閉塞部３は、各第１側板２１の下端縁に連設した内フラップ３１を内方へ直角に折り曲げ、各第２側板２２の下端縁に連設した外フラップ３２を内フラップ３１の外面に重なるように内方へ直角に折り曲げることにより構成される。
【００１１】
包装箱１は、図２に展開して示すように、打ち抜いて形成された１枚の段ボール板紙４を折り曲げることにより組み立てられる。この段ボール板紙４では、一対の第１側板２１と一対の第２側板２２とが、横方向に交互に折目線ａを介して連設されている。一側端に位置する第１側板２１の側縁には折目線ｂを介して接着片５が連設されている。
【００１２】
各第１側板２１，２１の下端縁には折目線ｃを介して内フラップ３１が連設され、各第２側板２２，２２の下端縁には折目線ｄを介して外フラップ３２が連設されている。また、各第１側板２１，２１及び各第２側板２２，２２の上端縁には折目線ｅを介して天蓋フラップ３３，３３，３３，３３が連設されている。
【００１３】
各外フラップ３２は、第２側板２２に折目線ｄを介して連設する基端部３２ａと、基端部３２ａの先端縁に折目線ｆを介して連設し、基端部３２ａより幅の小さい先端部３２ｂとを備える。
【００１４】
各先端部３２ｂの先端には、一対の舌片３４が形成されている。各舌片３４は、横方向外方に張り出す張出部３４ａを備える。両舌片３４の間には押え片３５が形成されている。両舌片３４は押え片３５よりも先方へ突出している。張出部３４ａの外フラップ３２に対する基端側の側縁は、外フラップ３２の基端側に向かって傾斜する傾斜縁３４ｂとなっている。
【００１５】
また、各内フラップ３１には、横方向に間隔を存して両端が横方向外方に向いた一対のＵ字状の挿入切込３１ａ，３１ａが形成されている。各挿入切込３１ａの内フラップ３１に対する横方向内方部は幅が狭くなっている。各挿入切込３１ａの両端は、内フラップ３１の先端側の端部から他方の端部に向かって延びる折目線ｇと、折目線ｇに連続し内フラップ３１の横方向内方に向かってＬ字状に湾曲するＬ字状切込３１ｂとにより接続されている。挿入切込３１ａとＬ字状切込３１ｂとにより、内フラップ３１に対して折目線ｇを介し揺動する揺動片３６が形成される。Ｌ字状切込３１ｂは、湾曲部分から挿入切込３１ａの端部に向かって内フラップ３１の横方向外方へ傾斜する傾斜部を備える。このＬ字状切込３１ｂにより、揺動片３６を揺動させたときに内フラップ３１の横方向内方へ突出する突部３７が形成される。また、Ｌ字状切込３１ｂの傾斜部により突部３７の先端縁が張出部３４ａの傾斜縁３４ｂに対応する傾斜縁となる。実施形態においては、挿入切込３１ａ、Ｌ字状切込３１ｂ、折目線ｇにより本発明の挿入孔が構成される。
【００１６】
次に、包装箱１の組み立てについて説明する。まず、段ボール板紙４を折目線ａ，ｂで折り曲げることにより、接着片５を反対側の第２側板２２の側端部内面に接着し、角筒状の胴部２を形成する。そして、内フラップ３１を折目線ｃを介して内側へ垂直に折り曲げる。
【００１７】
そして、図３に示すように、外フラップ３２を折目線ｄで内方へ折り曲げ、外フラップ３２の先端部３２ｂを折目線ｆで内方へ折り曲げることにより、各舌片３４を対応する挿入切込３１ａに挿入しつつ、外フラップ３２を内フラップ３１の外面に重合わせる。各舌片３４は、押え片３５よりも先方へ突出しているため、容易に挿入切込３１ａに挿入できる。
【００１８】
各舌片３４が対応する挿入切込３１ａに挿入されると、各揺動片３６は折目線ｇで内方へ揺動し、突部３７が内フラップ３１の横方向内方に突出した状態となる。そして、舌片３４が挿入切込３１ａに完全に挿入されると、図４に示すように、舌片３４の張出部３４ａの傾斜縁３４ｂが突部３７の先端縁に係止され、舌片３４が挿入切込３１ａから抜け出ることを防止する。そして、各天蓋フラップ３３を折目線ｅを介して内方へ垂直に折り曲げることにより胴部２の上方の開口を閉塞する。
【００１９】
以上のようにして組み立てられた実施形態の包装箱１は、従来のように内方から押し込んで係止させる必要がなく、組み立てが容易であり、且つ、舌片３４を挿入切込３１ａに挿入するだけで、舌片３４の張出部３４ａの傾斜縁３４ｂが突部３７の先端縁に当接して係止され、容易に抜け止をすることができる。
【００２０】
また、張出部３４ａの外フラップ３２に対する基端側の側縁を、外フラップ３２の基端側に向かって傾斜する傾斜縁３４ｂとし、突部３７の先端縁を、張出部３４ａの傾斜縁３４ｂに対応するように傾斜させているため、舌片３２ａがフック状となって張出部３４ａが突部３７の先端縁に係止される。これにより、舌片３２ａが挿入切込３１ａから抜け出ることをより確実に防止することができる。
【００２１】
なお、実施形態においては、張出部３４ａは外フラップ３２の横方向外方に張り出しているものを説明したが、これに限られず、本発明の張出部は、外フラップ３２の横方向内方、又は横方向両側に張り出すように構成しても同様に本発明の効果を得られる。この場合、突部は張出部に対応する位置に形成すればよい。
【００２２】
また、実施形態においては、包装箱１の胴部２の底開口部を閉塞する閉塞部３の内フラップ３１及び外フラップ３２に舌片３４と挿入孔とを形成したものを説明したが、底開口部と反対側の天蓋開口部を閉塞する閉塞部を一対の内フラップと一対の外フラップとで構成し、この内フラップに挿入孔を形成し外フラップに舌片を形成したものでも同様に本発明の効果を得ることができる。
【図面の簡単な説明】
【００２３】
【図１】本発明の包装箱の実施形態を示す斜視図。
【図２】実施形態の包装箱の展開図。
【図３】実施形態の包装箱の組み立て状態を示す斜視図。
【図４】実施形態の舌片と挿入切込との係合状態を示す説明的断面図。
【符号の説明】
【００２４】
１…包装箱、  ２…胴部、  ２１…第１側板、  ２２…第２側板、  ３…閉塞部、  ３１…内フラップ、  ３１ａ…挿入切込、  ３１ｂ…Ｌ字状切込、  ３２…外フラップ、  ３２ａ…基端部、  ３２ｂ…先端部、  ３３…天蓋フラップ、  ３４…舌片、  ３４ａ…張出部、  ３４ｂ…傾斜縁、  ３５…押え片、  ３６…揺動片、  ３７…突部、  ４…段ボール板紙、  ５…接着片、  ａ，ｂ，ｃ，ｄ，ｅ，ｆ，ｇ…折目線。
【図１】
0004982801.tif 000002
【図２】
0004982801.tif 000003
【図３】
0004982801.tif 000004
【図４】
0004982801.tif 000005